【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】  遊技域に設けられ、３個以上の図柄を配列させて表示可能な表示手段と、
前記表示手段に表示するための図柄を設定する設定手段と、
前記表示手段に様々な図柄を配列させ、次々と別の図柄に変更する変動表示を行なった後、各図柄を停止させ、前記設定手段によって設定された前記図柄を表示させる制御手段と、
前記表示手段に表示された図柄の配列が、予め設定された配列である場合に、遊技者に特典を付与する特典付与手段と、
を備えた制御装置において、
前記制御手段により、前記変動表示の後に表示された図柄の中に、予め設定された第１の図柄がある場合に、再び、前記表示手段に表示するための図柄を設定し、該図柄を、前記変動表示を行なった後に配列させて表示する再変動手段
を備えたことを特徴とする制御装置。
【請求項２】  請求項１に記載の制御装置において、
前記制御手段が、
前記変動表示を行なった後、前記設定手段によって設定された図柄にて停止させる際に、１つの図柄については他の図柄よりも停止を遅らせるもの
であって、且つ前記再変動手段は、
前記制御手段が最後に停止させた図柄が、前記第１の図柄であった場合に表示手段に表示するための図柄を設定し、再変動を行なった後にこの図柄を配列させて表示することを特徴とする制御装置。
【請求項３】
遊技域に設けられ、３個以上の図柄を配列させて表示可能な表示手段と、
始動検出スイッチの検出に基づいて前記表示手段に表示するための図柄を設定する設定手段と、
前記表示手段に様々な図柄を配列させ、次々と別の図柄に変更する変動表示を行なった後、各図柄を停止させ、前記設定手段によって設定された前記図柄を表示させる制御手段と、
前記表示手段に表示された図柄の配列が、予め設定された配列である場合に、遊技者に特典を付与する特典付与手段と、
を備えた制御装置において、
前記制御手段による前記変動表示が開始されるに先だって、所定の確率にて、前記表示手段に様々な図柄を配列させ、次々と別の図柄に変更する事前変動表示及びその一旦停止を行う事前変動手段
を備え、
前記事前変動手段は、前記事前変動表示及び前記一旦停止を何回行うかを決定し、該決定された回数だけ前記事前変動表示及び前記一旦停止を行うものであること
を特徴とする制御装置。
【手続補正２】
【補正対象書類名】明細書
【補正対象項目名】０００７
【補正方法】変更
【補正の内容】
【０００７】
【課題を解決するための手段】
かかる目的を達成するためになされた本発明の請求項１に記載の制御装置は、遊技域に設けられ、３個以上の図柄を配列させて表示可能な表示手段と、前記表示手段に表示するための図柄を設定する設定手段と、前記表示手段に様々な図柄を配列させ、次々と別の図柄に変更する変動表示を行なった後、各図柄を停止させ、前記設定手段によって設定された前記図柄を表示させる制御手段と、前記表示手段に表示された図柄の配列が、予め設定された配列である場合に、遊技者に特典を付与する特典付与手段と、
を備えた制御装置において、
前記制御手段により、前記変動表示の後に表示された図柄の中に、予め設定された第１の図柄がある場合に、再び、前記表示手段に表示するための図柄を設定し、該図柄を、前記変動表示を行なった後に配列させて表示する再変動手段
を備えたことを特徴とする。
【手続補正３】
【補正対象書類名】明細書
【補正対象項目名】０００９
【補正方法】変更
【補正の内容】
【０００９】
また請求項３に記載の本発明は、遊技域に設けられ、３個以上の図柄を配列させて表示可能な表示手段と、始動検出スイッチの検出に基づいて前記表示手段に表示するための図柄を設定する設定手段と、前記表示手段に様々な図柄を配列させ、次々と別の図柄に変更する変動表示を行なった後、各図柄を停止させ、前記設定手段によって設定された前記図柄を表示させる制御手段と、前記表示手段に表示された図柄の配列が、予め設定された配列である場合に、遊技者に特典を付与する特典付与手段と、
を備えた制御装置において、
前記制御手段による前記変動表示が開始されるに先だって、所定の確率にて、前記表示手段に様々な図柄を配列させ、次々と別の図柄に変更する事前変動表示及びその一旦停止を行う事前変動手段を備え、
前記事前変動手段は、前記事前変動表示及び前記一旦停止を何回行うかを決定し、該決定された回数だけ前記事前変動表示及び前記一旦停止を行うものであることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
【発明の実施の形態】
請求項１に記載の制御装置において、設定手段が、表示手段に表示するための図柄を設定する。表示手段は、３個以上の図柄を表示可能にされている（以下、表示できる図柄を３個として説明をする）。こうして設定された図柄は、制御手段によって変動表示が行なわれた後、同じく制御手段によって停止される。
【手続補正７】
【補正対象書類名】明細書
【補正対象項目名】００２２
【補正方法】変更
【補正の内容】
【００２２】
請求項３に記載の制御装置では、制御手段が、変動表示の後に行なう図柄の停止を、全部一度に行なうのではなく、１つの図柄については他の図柄よりも遅らせてもよい。つまりこの１つの図柄は最後に停止される図柄となる（よって以下、最後の図柄とも言う）。前記と同様、図柄が３個の場合を例にとると、停止方法としては、１図柄ずつ、時間差を置いて止めるという方法や、２図柄を先に同時に止め、所定時間経過後に残りの図柄を止めるという方法や、２図柄については止めたり動かしたりを所定回数、繰り返した後に停止させ、それから残りの図柄を停止させるという方法等が考えられる。
【手続補正８】
【補正対象書類名】明細書
【補正対象項目名】００２３
【補正方法】変更
【補正の内容】
【００２３】
そして、事前変動手段は、これと同様にして事前変動を停止させ、第１の図柄を最後の図柄として表示してもよい。こうすることにより、先に停止される２図柄が、特定の図柄になり得ないもの（例えば、これら２図柄が互いに異なる場合）であっても、最後の図柄として第１の図柄が表示されれば、これに引き続いて行なわれる変動表示の結果に期待を掛けることができる。なお、「第１の図柄を最後の図柄として表示する」とは、最後の図柄が、再変動させるか否かの判定基準になっているかのように、遊技者に見せるという意味である。従い、この第１の図柄と識別可能な程度に似通った図柄を、先に停止される２図柄に表示することは構わない。
【手続補正９】
【補正対象書類名】明細書
【補正対象項目名】００２５
【補正方法】変更
【補正の内容】
【００２５】
なお、これと同様に、制御手段及び再変動手段を構成しなおせば、請求項１に記載の制御装置でも同様の効果を奏することができる。つまり、制御手段を、１つの図柄については他の図柄よりも遅らせて停止させるものとし、再変動手段は、制御手段が最後に停止させた図柄が、第１の図柄であった場合に表示手段に表示するための図柄を設定し、変動表示（再変動）を行なった後にこの図柄を配列させて表示するものとすれば、遊技者から見ると請求項３に記載の制御装置と同様のものとなり、同じ効果を奏することができる。
【手続補正１０】
【補正対象書類名】明細書
【補正対象項目名】００２６
【補正方法】変更
【補正の内容】
【００２６】
請求項３に記載の制御装置では、事前変動手段が第１の図柄だけではなく、第２の図柄も表示してもよい。どちらの図柄を表示するかは、設定手段により設定された図柄の配列が、特定の配列であるか否かに応じて予め設定された確率に決定する。例えば、設定された配列が特定の配列である場合には、60％の確率で第１の図柄、40％の確率で第２の図柄を表示し、特定の配列ではない場合には、20％の確率で第１の図柄、80％の確率で第２の図柄を表示するようにする。
【手続補正１１】
【補正対象書類名】明細書
【補正対象項目名】００３２
【補正方法】変更
【補正の内容】
【００３２】
また、請求項３の事前変動手段を更に発展させて、第３の図柄や第４の図柄も最後の図柄として表示可能にしても良い。これらに対しても、夫々の図柄に応じて特定の配列になる確率を割り振るとよい。例えば、第２の図柄が出たときに当りになる確率を50％にすると良いと記したが、第３の図柄が出たら25％、第４の図柄が出たら５％というようにする。これは、最後の図柄を当りに対する予報動作と見なし、その予報の信頼度を第１〜第４の図柄に、この順序で割り振ったことに相当する。